(57)【要約】【課題】  本発明は低コスト乃至小型化が可能で、同様なプラスチックをレンズ材料として製造される撮像レンズシステムを提供する。【解決手段】  本発明にかかる小型撮像レンズシステムにおいては、物体側から画像に向かって順番に、開口絞りと、両凸第一レンズと、物体側に凹面が湾曲形成されるメニスカス第二レンズと、を含む。前記第一レンズと前記第二レンズは少なくとも一方の表面が非球面であり、共に同様なプラスチックから製造され、また、条件式１＜Ｔ／ｆ＜１．７    （１）を満足する。ここで、Ｔは開口絞りから画像までの距離、ｆは全系の焦点距離と定義される。さらに、条件式１．２＜d／Ｒ２＜２．１    （２）を満足することがより好ましい。ここで、Ｒ２は第一レンズの像側に近い表面の曲率半径の絶対値、ｄは第一レンズの厚さと定義される。【選択図】  図１
2006058863.tif 000002
【特許請求の範囲】
【請求項１】
物体側から画像に向かって順番に、
開口絞り、
両凸第一レンズ、
物体側に向かって凹面が湾曲形成されたメニスカス第二レンズ、を含む小型撮像レンズシステムにおいて、
前記第一レンズと前記第二レンズは、少なくとも一方のレンズの表面が非球面であり、また、共に同様なプラスチックから製造され、さらに条件式
１＜Ｔ／ｆ＜１．７    （１）
を満足し、
Ｔは開口絞りから画像までの距離、ｆは全系の焦点距離と定義されることを特徴とする小型撮像レンズシステム。
【請求項２】
前記第一レンズの両面が非球面であり、条件式
１．２＜d／Ｒ２＜２．１    （２）
を満足し、
ここで、Ｒ２は第一レンズの像側に近い表面の曲率半径の絶対値、ｄは第一レンズの厚さと定義されることを特徴とする請求項１記載の小型撮像レンズシステム。
【請求項３】
前記第一レンズはさらに条件式
０．５＜ｆ１／ｆ＜０．８    （３）
及び
０．２＜Ｒ２／Ｒ１＜１    （４）
を満足し、
ここで、ｆ１は第一レンズの焦点距離、Ｒ１は第一レンズの物体側に近い表面の曲率半径の絶対値と定義されることを特徴とする請求項２記載の撮像レンズシステム。
【請求項４】
前記第二レンズの両面が非球面であり、さらに条件式
０．７＜（１／Ｒ３）／（１／Ｒ１+１／Ｒ２+１／Ｒ４）＜１    （５）
を満足し、
ここで、Ｒ３は第二レンズの物体側に近い表面の曲率半径の絶対値、Ｒ４は第一レンズの像側に近い表面の曲率半径の絶対値と定義されることを特徴とする請求項３記載の撮像レンズシステム。
【請求項５】
前記プラスチックとして非晶質ポリオレフィン材料を含むことを特徴とする請求項１記載の撮像レンズシステム。
【請求項６】
前記開口絞りは第一レンズの物体側に近い表面に配置されることを特徴とする請求項１記載の撮像レンズシステム。
【発明の詳細な説明】
【技術分野】
【０００１】
本発明は、小型撮像レンズシステムに関し、特に携帯電話、ＰＣカメラ等の小型撮像素子のレンズシステムに関する。
【背景技術】
【０００２】
近年、メディアの発展に伴って、携帯コンピュータ、ビジュアル電話、携帯電話などに搭載されるＣＣＤ（Charged Coupled Device）又はＣＭＯＳ（Complementary Metal Oxide Semiconductor）等の固体像面処理ユニットを利用した撮像素子に対する要望が多くなってきている。また、この需要の増加に対して、レンズシステムには、より一層の小型化が求められている。
【０００３】
一方、これら固体像面処理ユニット、例えばＣＣＤ又はＣＭＯＳの生産技術が進歩して、各画素が数ミクロンになる画素処理ユニットが生産されるため、システムの小型化につれて撮像レンズの解像度に対する要求が高くなってきている。こうした理由から、現在、小型撮像素子の発展方向に伴い、低コスト、良好な光学性能、優れた画質の小型化したレンズシステムの開発が行われている。
【０００４】
なお、ここでいうレンズシステムの小型化とは、レンズの第一面から結像面への距離（像面処理システムの全長）が短いということである。
【０００５】
また、低コストとは、システムに含まれるレンズの数が少なく、且つレンズ本体がバッチ加工及び組付けを行い易いということである。
【０００６】
レンズシステムの性能及び画質が優れているとは、以下のものに該当する場合である。
１．明るさ（小さなＦナンバー、一般的には２．８以下）
２．大きな画角（半画角が３０°以上）
３．均一な像面照度（ケラレが少ない／撮像素子への入射角度が小さい）
４．高解像度（各種の単色収差が適切に補正され、色収差が少ない）
【０００７】
低コストのためには、プラスチックレンズを一枚だけ用いることが好ましい。しかし、単レンズは両面で非球面にしても、良好な画質及び光特性（例えば、画角が７０°）が得られないので、大抵、低解像度の製品（例えば、１１万画素ＣＭＯＳ）に利用される。一方、単レンズは、収差を補正するために、厚いものを利用し、全長と焦点距離の比（Ｌ／ｆ）が２程度であることが多いので、システムのサイズを小さくすることができない。代表的な構成は、特許文献１及び特許文献２に開示されている。これは、全長と焦点距離の比がほぼ２である光学特性を持ち、主に１１万画素のＣＭＯＳに利用されているが、３０万画素の高解像度に対して、光学特性や携帯利便性の要求を満たすことはできない。
【０００８】
特許文献３には、画質を高めるため、携帯電話及び撮像レンズのレンズシステムとして、レンズが三枚の構成が開示されている。さらに、特許文献４にはレンズが四枚の構成が開示されている。しかし、前記文献に記載された小型撮像システムはレンズ増加が原因となって、コスト増加につながる。
【０００９】
以上述べてきたことを背景として、コスト及び像質を考慮したものが二枚レンズの構成を利用する設計である。二枚レンズの構成によれば、自由度の高い設計が可能となり、単レンズの構成と比べて画質が優れ、三枚レンズと比べてコストが低く、システムのサイズも小さくなる。
【００１０】
従来の二枚レンズ構成はリトロフォーカス（retro-focus）のものが多く、特許文献５のように、前記レンズシステムは物体側から像側に向かって順番に負の屈折力のメニスカスレンズと、開口絞りと、正の屈折力のメニスカスレンズとを備えている。前記構成は広角の視野に関わる収差の補正に有利に働くが、シャッターを配置するための最後のレンズと像面（像面）との距離は長くなるので、システムの全長を小さくしにくく、小型化が困難になる。
【００１１】
前記課題を解決するため、従来の撮像レンズシステムは、特許文献６及び特許文献７に示すように、一般にプラスチックレンズを二枚、且つ、非球面を四つ含むような構造が採用される。該レンズシステムは小型化及び低コストを実現すると共に、画質が３０万画素に達することができる。しかし、第一レンズのアッベ（Ａｂｂｅ）数をν１、第二レンズのアッベ（Ａｂｂｅ）数をν２とする場合、前記特許文献６に示されるものでは、ν１＞５０またν２＜４０を満足し、同時に全長と焦点距離の比がほぼ２となっているが、前記特許文献７に示されるものでは、色収差を除去するためにν１―ν２＞２５を満足し、同時に、全長と焦点距離の比がほぼ１．７となっている。従って、前記両方のシステムの全長と焦点距離の最小比は１．７ほどであるので、さらに小型化を実現することが制限されている。前記二枚のレンズは色収差を除去するために、それぞれ異なる材料から製造されることが必要となる。少なくとも一方の材料としてガラスを利用する場合、効果的に色収差を除去して、画質を高めることができるが、コストが増加してくる。一方、異なるプラスチックを利用する場合、全てのレンズが非球面形状であるので、工程が複雑になって、コストアップとなってくる。何故なら、量産に対しては、金型を介して行う必要があり、異なる材料のために異なる金型工程が要求されるからである。次に、プラスチックは、吸水度（Water Absorbency）の問題がある。一般に携帯電話のデジタルカメラに対して利用されるプラスチックにおいては、非晶質ポリオレフィン樹脂Ｚｅｏｎｅｘ（Polyolefin Resin或いはCyclo-olefin Polymers）のみ吸水度が低く（＜０．０１％）、これに対して、ポリメタクリル酸メチル（ＰＭＭＡ）の標準値は１．５％で、ポリカーボネート（ＰＣ）は０．４％であるので、二枚のレンズの少なくとも一方として使用する場合には、吸水度の問題がある。また、当該レンズの吸水による変形が原因で、システムの光学性能が低下する課題がある。
【００１２】
なお、３０万画素のＣＭＯＳは画質の要求がより低く、色収差による影響が小さいので、撮像レンズの焦点距離が短い（約４ｍｍ）場合、レンズの設計には、色収差による影響を無視することができる。画質は、特に軸上色収差と倍率色収差が少し低くなって３０万画素のＣＭＯＳの要求を満足する場合、前後二枚のレンズに同様なプラスチックが利用されると、さらにコストの低減に有利となる。
【００１３】
前記を鑑みて、さらに小型化され、低コストにし、レンズ材料として同様なプラスチックを利用する小型撮像レンズシステムを提供することが必要となる。
【特許文献１】米国特許第６２９７９１５号明細書
【特許文献２】欧州特許出願公開第１２７１２１５号明細書
【特許文献３】米国特許出願公開第２００３／０１９３６０５号明細書
【特許文献４】米国特許出願公開第２００４／００１２８６１号明細書
【特許文献５】米国特許第６４４９１０５号明細書
【特許文献６】米国特許出願公開第２００４／００３６９８３号明細書
【特許文献７】欧州特許出願公開第１３５７４１４号明細書
【発明の開示】
【発明が解決しようとする課題】
【００１４】
本発明は、小型化が困難で、さらに異なる材料の金型に対する工程の複雑性を縮減し難い課題を解決して、コストの低減乃至小型化を実現でき、同様なプラスチックをレンズ材料として利用する撮像レンズシステムを提供する。
【課題を解決するための手段】
【００１５】
本発明にかかる撮像レンズシステムは、物体側から像側に向かって順に開口絞り、両凸第一レンズ、物体側に凹面に湾曲したメニスカス第二レンズを含み、前記第一レンズ及び第二レンズの少なくとも一方が非球面を有し、同様なプラスチックにより製造し、条件式
１＜Ｔ／ｆ＜１．７    （１）
を満足する小型撮像レンズシステムを提供する。ここで、Ｔは開口絞りから像面への距離、ｆは全系の焦点距離と定義される。
【００１６】
単色収差を除去し全長を小さくする要求を満足するために、前記撮像レンズシステムはさらに条件式
０．５＜ｆ１／ｆ＜０．８    （２）
及び
０．２＜Ｒ２／Ｒ１＜１    （３）
を満足する。ここで、ｆ１は第一レンズの焦点距離、Ｒ１は第一レンズの物体側に近い表面の曲率半径の絶対値、Ｒ２は第一レンズの像側に近い表面の曲率半径の絶対値と定義される。
【００１７】
第一レンズの像側に近い光線入射角を小さくして高次収差を減少するために、前記撮像レンズシステムはさらに条件式
１．２＜d／Ｒ２＜２．１    （４）
を満足する。ここで、ｄは第一レンズの厚さと定義される。
【００１８】
前記撮像レンズシステムは像面湾曲を補正するために、さらに条件式
０．７＜（１／Ｒ３）／（１／Ｒ１+１／Ｒ２+１／Ｒ４）＜１    （５）
を満足する。
ここで、Ｒ３は第二レンズの物体側に近い表面の曲率半径の絶対値、Ｒ４は第一レンズの像側に近い表面の曲率半径の絶対値である。
【００１９】
レンズの吸水による変形が原因でシステムの光学性能が低くなることを防止するために、本発明にかかるプラスチックは非晶質ポリオレフィン材料を利用することとなる。
【発明の効果】
【００２０】
従来の技術と比べて、本発明にかかる小型撮像レンズシステムは、条件式（１）１＜Ｔ／ｆ＜１．７を満足するので、システムの小型化を実現できる。なお、第一レンズ及び第二レンズは両方ともプラスチックから製造されるので、製造工程を簡単にし、コストを低減する。また、前記プラスチックのレンズとすることにより、吸水による変形が原因で全システムの光学性能が低くなることを防止することができる。
【発明を実施するための最良の形態】
【００２１】
図１は本発明にかかる小型撮像レンズシステムの構成を示す模式図である。光は物体側から入射され、物体側に近い開口絞り１０と、両凸第一レンズ２０と、メニスカス第二レンズ３０と、を透過する。前記メニスカス第二レンズ３０は物体側に凹形に湾曲した一つの面を備え、光を保護ガラス４０を介して像面装置であるＣＣＤ又はＣＭＯＳの像面５０に集めるように設置される。前記第一レンズ２０及び第二レンズ３０は少なくとも一方のレンズの表面が非球面とされるが、両方とも同様のプラスチックで製造される。
【００２２】
まず、像面５０への主光線による入射角を小さくするように開口絞り１０がシステムの物体側に隣接して配置される。なお、開口絞り１０がシステムの最前面に配置される設計はシステムの全長を小さくするために有利である。
【００２３】
コストを低減するために、本発明にかかる小型撮像レンズシステムは開口絞り１０を第一レンズ２０の物体側に近い表面（以下、第一表面という、但し図示せず）に直接に設けることが理解できる。作業する時、第一レンズ２０の第一表面における遮光部を黒くして、開口絞りとして利用しても良い。
【００２４】
システムの小型化と良好な画質を実現するために、前記システムの第一レンズ２０と第二レンズ３０とは条件式
１＜T／f＜１．７    （１）
を満足する。
ここで、Ｔは開口絞りから像面までの距離、ｆは全系の焦点距離と定義される。条件式（１）でシステムの全長を制限する。システムの全長と焦点距離の比は画質を直接に決め、特に主光線射出角度を制御しようとする時、小型化を実現するとともに画質を高めることができる。
【００２５】
第一レンズ２０の両面は非球面であり、さらに条件式
０．５＜f１／f＜０．８    （２）
及び
０．２＜Ｒ２／Ｒ１＜１    （３）
を満足することがより好ましい。  ここで、f１は第一レンズ２０の焦点距離、Ｒ１は第一レンズ２０の物体側に近い表面（第一表面、但し図示せず）の曲率半径の絶対値と定義される。条件式（２）は単色収差を除去し全長を小さくする要求（条件式（１）による屈折力の割り当て）を満足するためのものである。f１／fの値は最小値である０．５以上であれば、システムに対して全屈折力に関する要求を満足するので、高次の球面収差、コマ収差及び倍率色収差を所定範囲に制御させる。一方、f１／fの値が最大値である０．８以下であれば、システムの全屈折力を確保し、システムの全長を小さくすることができる。条件式（３）は、単色収差を除去するために求めれた第一レンズ２０の屈折力の割り当てを示す。
【００２６】
第一レンズ２０は、さらに条件式
１．２＜ｄ／Ｒ２＜２．１    （４）
を満足することがより好ましい。
ここで、ｄは第一レンズ２０の厚さ、Ｒ２は第一レンズ２０の像側５０に近い表面（以下、第二表面という、但し図示せず）の曲率半径の絶対値と定義される。条件式（４）は高次収差を少なくし第一レンズ２０における第二表面への入射角を小さくするための制限条件である。
【００２７】
第二レンズ３０の両面は非球面である。第一レンズ２０と第二レンズ３０とはさらに条件式
０．７＜（１／Ｒ３）／（１／Ｒ１+１／Ｒ２+１／Ｒ４）＜１    （５）
を満足することがより好ましい。
ここで、Ｒ３は第二レンズ３０の物体側に近い凹面（以下、第三表面という、但し図示せず）の曲率半径の絶対値、Ｒ４は第二レンズ３０の像側５０に近い表面（以下、第四表面という、但し図示せず）の曲率半径の絶対値と定義される。条件式（５）は像面湾曲を補正するために求められたフラットフィールドを示す。Ｒ３に関して、（１／Ｒ３）／（１／Ｒ１+１／Ｒ２+１／Ｒ４）の値を最大値である１より小くすると、第二レンズ３０の第三表面の負屈折力により適切に第一レンズ２０による正コマ収差が補正され、同時に、Ｒ３が小さ過ぎないので、システムの高次収差を小さくすることができる。また、Ｒ３に関して、（１／Ｒ３）／（１／Ｒ１+１／Ｒ２+１／Ｒ４）の値を最小値である０．７より大きくすると、前記第二レンズ３０の第三表面による負ペッツバール（Petzval）像面湾曲和が、第一レンズ２０の第一表面と第二表面の両方、並びに第二レンズ３０の第四表面による正ペッツバール像面湾曲和を補正することができるため、像面湾曲の補正が容易になる。また、条件式（５）を満足する場合、第二レンズ３０の第三表面による負屈折力により、効率的に第一レンズ２０による倍率色収差が補正できる。前記第三表面はシステムにおける最小曲率半径の湾曲面であり、システムが像面湾曲を補正すると共に高次収差を制限するために、曲率半径の小さい面の曲率半径中心と開口絞りの中心とを同心させるので、第二レンズ３０の第三表面は開口絞りに凹形に湾曲していなければならない。
【００２８】
本発明にかかる第一レンズ２０及び第二レンズ３０は両方とも同様なプラスチックで製造されるので、工程の複雑性並びにコストが低減される。
【００２９】
本発明では、プラスチックとして非晶質ポリオレフィン材料が利用されることがより好ましい。
【００３０】
次に、図２乃至図２１を参照して、実施例を用いて本発明にかかる撮像レンズシステムについて説明する。
【００３１】
次の各実施例において、第一レンズ２０の第一表面と第二表面、第二レンズ３０の第三表面と第四表面は、それぞれ非球面を利用する。非球面形状の計算式は以下のようにする。
【００３２】
【数１】
2006058863.tif 000003
【００３３】
但し、ｘ：表面の一点から該表面頂点のタンジェンシャル(tangential)平面（＝接平面）までの距離、ｃ：非球面頂点の曲率、ｈ：光軸レンズ表面上の各点の接平面までの垂直距離、ｋ：二次元曲面係数、Ａｉ：第ｉ階の非球面形状の係数と定義される。
【００３４】
以下の説明では、
Ｔ：開口絞りから結像面までの距離；
ｆ：全系の焦点距離；
ＦＮｏ：Ｆナンバー；
ω：半画角；
θ：主光線射出角；
Ｒ：レンズ表面の曲率半径；
Ｄ：レンズ表面から光軸までの距離；
Ｎｄ：屈折率；
ν：アッベ数
とする。
【００３５】
［実施例１］
図２は本発明にかかる小型撮像レンズシステムの実施例１における光路を示す図である。
【００３６】
前記小型撮像レンズシステムは表１と表２の条件を満足する。
【００３７】
【表１】
2006058863.tif 000004
【００３８】
【表２】
2006058863.tif 000005
【００３９】
図３乃至図６は、この実施例１の表１及び表２を満足する小型撮像レンズシステムにおける横収差（図３Ａ〜図３Ｄ）、像面湾曲及び歪曲収差（図４Ａ、図４Ｂ）、球面収差（図５）、倍率色収差（図６）を示す。ここで、図３Ａ、図３Ｂ、図３Ｃ及び図３Ｄはそれぞれ方位が０°、１５°、２５°、３５°になる像面位置での子午面とサジタル面における収差を示し、図４Ａと図４Ｂはそれぞれ像面湾曲曲線及び歪曲収差曲線を示す。これらの図に示されるように、前記横収差、像面湾曲、歪曲収差、色収差は良好に補正することができる。
【００４０】
［実施例２］
図７は本発明にかかる小型撮像レンズシステムの第二実施例における光路を示す図である。
【００４１】
前記小型撮像レンズシステムは表３及び表４の条件を満足する。
【００４２】
【表３】
2006058863.tif 000006
【００４３】
【表４】
2006058863.tif 000007
【００４４】
図８乃至図１１は、この実施例２の表３及び表４を満足する小型撮像レンズシステムにおける横収差（図８Ａ〜図８Ｄ）、像面湾曲及び歪曲収差（図９Ａ、図９Ｂ）、球面収差（図１０）、倍率色収差（図１１）を示す。ここで、図８Ａ、図８Ｂ、図８Ｃ及び図８Ｄはそれぞれ方位が０°、１５°、２５°、３５°になる像面位置での子午面とサジタル面における横収差を示し、図９Ａと図９Ｂはそれぞれ像面湾曲曲線及び歪曲収差曲線を示す。これらの図に示すように、前記横収差、像面湾曲、歪曲収差、色収差は良好に補正することができる。
【００４５】
［実施例３］
図１２は本発明にかかる小型撮像レンズシステムの第三実施例における光路を示す図である。
【００４６】
前記小型撮像レンズシステムは表５及び表６の条件を満足する。
【００４７】
【表５】
2006058863.tif 000008
【００４８】
【表６】
2006058863.tif 000009
【００４９】
図１３乃至図１６は、この実施例３の表５及び表６を満足する撮像レンズシステムにおける横収差（図１３Ａ〜図１３Ｂ）、像面湾曲及び歪曲収差（図１４Ａ、図１４Ｂ）、球面収差（図１５）、倍率色収差（図１６）を示す。ここで、図１３Ａ、図１３Ｂ、図１３Ｃ及び図１３Ｄはそれぞれ方位が０°、１５°、２５°、３５°になる像面位置での子午面とサジタル面における横収差を示し、図１４Ａと図１４Ｂはそれぞれ像面湾曲曲線及び歪曲収差曲線を示す。これらの図に示すように、前記横収差、像面湾曲、歪曲収差、色収差は良好に補正することができる。
【００５０】
［実施例４］
図１７は本発明にかかる小型撮像レンズシステムの第四実施例における光路を示す図である。
【００５１】
前記小型撮像レンズシステムは表７及び表８の条件を満足する。
【００５２】
【表７】
2006058863.tif 000010
【００５３】
【表８】
2006058863.tif 000011
【００５４】
図１８乃至図２１は、この実施例４の表７及び表８を満足する小型撮像レンズシステムにおける横収差（図１８Ａ〜図１８Ｂ）、像面湾曲及び歪曲収差（図１９Ａ、図１９Ｂ）、球面収差（図２０）、倍率色収差（図２１）を示す。ここで、図１８Ａ、図１８Ｂ、図１８Ｃ及び図１８Ｄはそれぞれ方位が０°、１５°、２５°、３５°になる像面位置での子午面とサジタル面における横収差を示し、図１９Ａと図１９Ｂはそれぞれ像面湾曲曲線及び歪曲収差曲線を示す。これらの図に示すように、前記横収差、像面湾曲、歪曲収差、色収差は良好に補正することができる。
【００５５】
表９はこれら四つの実施例及びそれらに対応する光特性（穴径、画角、焦点距離及び前記条件式に対応する値を含む）を示す。
【００５６】
ここで、各実施例における第一レンズ及び第二レンズはそれぞれ日本ゼオン株式会社（Ｚｅｏｎ）で生産された非晶質ポリオレフィン材料Ｚｅｏｎｅｘ（具体的な番号はＥ４８Ｒ）から製造されるものである。
【００５７】
【表９】
2006058863.tif 000012
【００５８】
以上見てきたように、本発明にかかる小型撮像レンズシステムは、所定の条件式を満足するときに、効率的に二枚型のレンズシステムの全長が小さくなり、さらに小型化を実現することができる。また、前記システムは大きな視界（画角がほぼ７０°）と高輝度（Ｆナンバーが２．８以内）の場合、歪曲収差が２％以内となる。そして、第一レンズと第二レンズは共に同様なプラスチックから製造されるので、製造工程を簡単にし、コストを低減することができる。このプラスチックの吸水による変形の可能性が小さいので、前記プラスチックで製造されたレンズは、吸水による変形のためにシステムの光学性能が低くなることを防止する。
【図面の簡単な説明】
【００５９】
【図１】本発明による小型撮像レンズシステムの構成を示す模式図である。
【図２】本発明による小型撮像レンズシステムの実施例１における光路を示す図である。
【図３Ａ】本発明による小型撮像レンズシステムの実施例１にかかる撮像レンズシステムにおける横収差を示す図である。
【図３Ｂ】本発明による小型撮像レンズシステムの実施例１にかかる撮像レンズシステムにおける横収差を示す図である。
【図３Ｃ】本発明による小型撮像レンズシステムの実施例１にかかる撮像レンズシステムにおける横収差を示す図である。
【図３Ｄ】本発明による小型撮像レンズシステムの実施例１にかかる撮像レンズシステムにおける横収差を示す図である。
【図４Ａ】本発明による小型撮像レンズシステムの実施例１にかかる撮像レンズシステムにおける像面湾曲を示す図である。
【図４Ｂ】本発明による小型撮像レンズシステムの実施例１にかかる撮像レンズシステムにおける歪曲収差を示す図である。
【図５】本発明による小型撮像レンズシステムの実施例１にかかる撮像レンズシステムにおける球面収差を示す図である。
【図６】本発明による小型撮像レンズシステムの実施例１にかかる撮像レンズシステムにおける倍率色収差を示す図である。
【図７】本発明による小型撮像レンズシステムの実施例２おける光路示す図である。
【図８Ａ】本発明による小型撮像レンズシステムの実施例２にかかる撮像レンズシステムにおける横収差を示す図である。
【図８Ｂ】本発明による小型撮像レンズシステムの実施例２にかかる撮像レンズシステムにおける横収差を示す図である。
【図８Ｃ】本発明による小型撮像レンズシステムの実施例２にかかる撮像レンズシステムにおける横収差を示す図である。
【図８Ｄ】本発明による小型撮像レンズシステムの実施例２にかかる撮像レンズシステムにおける横収差を示す図である。
【図９Ａ】本発明による小型撮像レンズシステムの実施例２にかかる撮像レンズシステムにおける像面湾曲を示す図である。
【図９Ｂ】本発明による小型撮像レンズシステムの実施例２にかかる撮像レンズシステムにおける歪曲収差を示す図である。
【図１０】本発明による小型撮像レンズシステムの実施例２にかかる撮像レンズシステムにおける球面収差を示す図である。
【図１１】本発明による小型撮像レンズシステムの実施例２にかかる撮像レンズシステムにおける倍率色収差を示す図である。
【図１２】本発明による小型撮像レンズシステムの実施例３おける光路示す図である。
【図１３Ａ】本発明による小型撮像レンズシステムの実施例３にかかる撮像レンズシステムにおける横収差を示す図である。
【図１３Ｂ】本発明による小型撮像レンズシステムの実施例３にかかる撮像レンズシステムにおける横収差を示す図である。
【図１３Ｃ】本発明による小型撮像レンズシステムの実施例３にかかる撮像レンズシステムにおける横収差を示す図である。
【図１３Ｄ】本発明による小型撮像レンズシステムの実施例３にかかる撮像レンズシステムにおける横収差を示す図である。
【図１４Ａ】本発明による小型撮像レンズシステムの実施例３にかかる撮像レンズシステムにおける像面湾曲を示す図である。
【図１４Ｂ】本発明による小型撮像レンズシステムの実施例３にかかる撮像レンズシステムにおける歪曲収差を示す図である。
【図１５】本発明による小型撮像レンズシステムの実施例３にかかる撮像レンズシステムにおける球面収差を示す図である。
【図１６】本発明による小型撮像レンズシステムの実施例３にかかる撮像レンズシステムにおける倍率色収差を示す図である。
【図１７】本発明による小型撮像レンズシステムの実施例４の光路示す図である。
【図１８Ａ】本発明による小型撮像レンズシステムの実施例４にかかる撮像レンズシステムにおける横収差を示す図である。
【図１８Ｂ】本発明による小型撮像レンズシステムの実施例４にかかる撮像レンズシステムにおける横収差を示す図である。
【図１８Ｃ】本発明による小型撮像レンズシステムの実施例４にかかる撮像レンズシステムにおける横収差を示す図である。
【図１８Ｄ】本発明による小型撮像レンズシステムの実施例４にかかる撮像レンズシステムにおける横収差を示す図である。
【図１９Ａ】本発明による小型撮像レンズシステムの実施例４にかかる撮像レンズシステムにおける像面湾曲を示す図である。
【図１９Ｂ】本発明による小型撮像レンズシステムの実施例４にかかる撮像レンズシステムにおける歪曲収差を示す図である。
【図２０】本発明による小型撮像レンズシステムの実施例４にかかる撮像レンズシステムにおける球面収差を示す図である。
【図２１】本発明による小型撮像レンズシステムの実施例４にかかる撮像レンズシステムにおける倍率色収差を示す図である。
【符号の説明】
【００６０】
１０  開口絞り
２０  第一レンズ
３０  第二レンズ
４０  ガラス
５０  像面
【図１】
2006058863.tif 000013
【図２】
2006058863.tif 000014
【図３Ａ】
2006058863.tif 000015
【図３Ｂ】
2006058863.tif 000016
【図３Ｃ】
2006058863.tif 000017
【図３Ｄ】
2006058863.tif 000018
【図４Ａ】
2006058863.tif 000019
【図４Ｂ】
2006058863.tif 000020
【図５】
2006058863.tif 000021
【図６】
2006058863.tif 000022
【図７】
2006058863.tif 000023
【図８Ａ】
2006058863.tif 000024
【図８Ｂ】
2006058863.tif 000025
【図８Ｃ】
2006058863.tif 000026
【図８Ｄ】
2006058863.tif 000027
【図９Ａ】
2006058863.tif 000028
【図９Ｂ】
2006058863.tif 000029
【図１０】
2006058863.tif 000030
【図１１】
2006058863.tif 000031
【図１２】
2006058863.tif 000032
【図１３Ａ】
2006058863.tif 000033
【図１３Ｂ】
2006058863.tif 000034
【図１３Ｃ】
2006058863.tif 000035
【図１３Ｄ】
2006058863.tif 000036
【図１４Ａ】
2006058863.tif 000037
【図１４Ｂ】
2006058863.tif 000038
【図１５】
2006058863.tif 000039
【図１６】
2006058863.tif 000040
【図１７】
2006058863.tif 000041
【図１８Ａ】
2006058863.tif 000042
【図１８Ｂ】
2006058863.tif 000043
【図１８Ｃ】
2006058863.tif 000044
【図１８Ｄ】
2006058863.tif 000045
【図１９Ａ】
2006058863.tif 000046
【図１９Ｂ】
2006058863.tif 000047
【図２０】
2006058863.tif 000048
【図２１】
2006058863.tif 000049